(57)【要約】  【課題】所定の取付方向性を有するセンサーを含んで構成されたセンサーユニットを，該センサーの取付方向性に依存することなく，センサーユニット取付における天地方向を問わず，取付作業性よく取付けることを可能としたセンサーユニットの取付方法及びセンサーユニットを提供すること。  【解決手段】所定の取付方向性を有するセンサーと，該センサーを取付配置する第一の電子基板と，該電子基板を装着保持する筐体とを含み，筐体の取付状態は，前記センサーを取付配置した第一の電子基板と，該第一の電子基板を装着保持した筐体からなる第一の取付け状態と，前記センサーの取付方向は第一の取付け状態における方向と同一で，センサーユニットから基板を臨む方向を軸として，筐体は第一の取付け状態とは１８０度違えた第二の取付け状態との，少なくとも二つの状態で取付を可能とした。  【選択図】図１
2006179418.tif 000002
【特許請求の範囲】
【請求項１】
所定の取付方向性を有するセンサーと，該センサーを取付配置する第一の電子基板と，該電子基板を装着保持する筐体と，を含んで構成されるセンサーユニットの取付方法であって，該センサーユニットの取付は，前記所定の取付方向性を有するセンサーを取付配置した第一の電子基板と，該第一の電子基板を装着保持した筐体からなる第一の取付け状態と，前記所定の取付方向性を有するセンサーの取付方向は第一の取付け状態における方向と同一で，該所定の取付方向性を有するセンサーを取付配置した第一の電子基板及び該第一の電子基板を装着保持した筐体は，センサーユニットから基板を臨む方向を軸として第一の取付け状態とは１８０度違えた第二の取付け状態との，少なくとも二つの状態で取付を可能としたことを特徴とするセンサーユニットの取付方法。
【請求項２】
前記第一の電子基板には，前記第一の取付け状態と第二の取付け状態において，略同一の位置にて所定の取付方向性を有するセンサーを取付配置できるようセンサー取付部を二形態設けて基板のパターンが構成されたことを特徴とする請求項１記載のセンサーユニット。
【請求項３】
前記センサーユニットは，該センサーユニットの動作状態を表示する表示手段と，動作確認を行う動作確認手段と，リセット動作を行うリセット手段とを配置して前記第一の電子基板と電気的に接続される第二の電子基板を備え，該表示手段，動作確認手段，リセット手段は，筐体の外部から露望して視認操作可能なように設けられるとともに，筐体には前記第一の取付け状態及び第二の取付け状態において，外部から表示手段，動作状態検出手段，リセット手段を視認操作する際の配置が同一となるよう，筐体内において第二の電子基板をセンサーユニットの取付方向を軸として１８０度違えて装着保持できるように，予め表示手段，動作確認手段，リセット手段の露望する位置に対称に孔部を設けて構成されたことを特徴とする請求項２記載のセンサーユニット。
【請求項４】
前記筐体の外形は，
主開閉器及び該主開閉器と母線を介して電気的に接続された分岐開閉器等を収容した分電盤に用いられる分岐開閉器と置き換えて利用できるよう，該分岐開閉器と略同一に形成されるとともに，母線から駆動電源を取得できるよう分岐開閉器と同様な電源端子部を設けたことを特徴とする請求項２もしくは請求項３記載のセンサーユニットまたは請求項１記載のセンサーユニットの取付方法。
【請求項５】
分電盤内において上側下側二段に分岐開閉器が配設されてなる分電盤において，前記センサーユニットは，上側の分岐開閉器もしくは下側の分岐開閉器のどちらの分岐開閉器とも置き換えて使用が可能であることを特徴とした請求項４記載のセンサーユニット。
【請求項６】
センサーユニットに用いられるセンサーは，震度に応じて出力信号を発生する感震センサーであることを特徴とする請求項１記載のセンサーユニットの取付方法または請求項２または請求項３または請求項４または請求項５記載のセンサーユニット。
【発明の詳細な説明】
【技術分野】
【０００１】
本件の発明は，所定の取付方向性を有するセンサーを筐体に収容し，センサーの出力を筐体外部に出力することが可能なセンサーユニットと該センサーユニットの取付方法に関するものである。特に分電盤内に収容して用いるセンサーユニットに関するものである。
【背景技術】
【０００２】
従来公知のセンサーユニットの例としては，特許文献１に示したように，既設の安全ブレーカの１個または複数個分のスペースで構成された筐体の内部に、震動を感知したときに動作するリレー回路等を組み込むとともに、この筐体の片側に電源端子を、またその反対側に警報端子をそれぞれ並設する安全ブレーカの端子と同側に位置するよう配置し、かつ筐体の内部に電子基板を多段に設け、導電性のピンで保持して電子基板どうしを電気的に接続したうえ、筐体の電源端子側の肩部の高さを並設する安全ブレーカの肩部の高さに対応させて、既設の安全ブレーカと差し替え可能として構成されたものがあった。該センサーユニットにおいては，該センサーユニット内への方向性を有するセンサーの配設において，センサーの所定の方向性を保つために，一つの配設状態のみ取り得るものであった。このため，特許文献１の図６に記載されているように，分電盤内にセンサーユニットを配設する場合においては，上下に２段に並設している分岐開閉器のうち，下側の分岐開閉器の部分に配設を行い使用していた。
【特許文献１】特許第３０４６７６５号  （第６図）
【発明の開示】
【発明が解決しようとする課題】
【０００３】
しかしながら， 分電盤内にセンサーユニットを配設する場合においては，下側の分岐開閉器のスペースにのみ配置することが可能となっているため，取付場所及び方向が限定され，分岐開閉器の負荷側に接続されている負荷機器の使用電流によっては，相間のバランスが取れなくなるという課題があった。
【０００４】
また，上側の分岐開閉器スペースに空き回路が設けてあるような分電盤の場合には，施工時に置いて，一旦，下側の分岐開閉器を上側に移設し，壁側の配線も繋ぎかえる手間が発生し作業効率が低下するという課題があった。
また，センサーユニットを複数個用いるような場合においては，上側下側の分岐開閉器スペースのうち片側だけにセンサユニットを用いることで，相間のバランスがより崩れる方向となり，安定した電力の供給に支障が出る可能性があるという課題があった。
【０００５】
そこで本件の発明は，このような実情に鑑みてなされたものであり，所定の取付方向性を有するセンサーを含んで構成されたセンサーユニットを，該センサーの取付方向性に依存することなく，センサーユニット取付における天地方向を問わず，取付作業性よく取付けることを可能としたセンサーユニットの取付方法及びセンサーユニットを提供することを目的とする。また，天地方向を違えた取り付け状態においても，センサーの動作状態の表示や，動作確認の操作が違和感なく行うことが可能なセンサーユニットを提供する。
さらに，分電盤の内部に配設する場合においては上側下側どちらの分岐開閉器とも置き換えが可能であり，特に複数個のセンサーユニットの使用時において相間のバランスを崩すことがないセンサーユニットを提供することを目的とする。
【課題を解決するための手段】
【０００６】
本発明の再閉路機能付回路遮断器は，所定の取付方向性を有するセンサーと，該センサーを取付配置する第一の電子基板と，該電子基板を装着保持する筐体と，を含んで構成されるセンサーユニットの取付方法であって，該センサーユニットの取付は，前記所定の取付方向性を有するセンサーを取付配置した第一の電子基板と，該第一の電子基板を装着保持した筐体からなる第一の取付け状態と，前記所定の取付方向性を有するセンサーの取付方向は第一の取付け状態における方向と同一で，該所定の取付方向性を有するセンサーを取付配置した第一の電子基板及び該第一の電子基板を装着保持した筐体は，センサーユニットから基板を臨む方向を軸として第一の取付け状態とは１８０度違えた第二の取付け状態との，少なくとも二つの状態で取付を可能としたことを特徴としてセンサーユニットの取付方法を提供したものである。
【０００７】
これにより，センサーの所定の取付方向性を保ちながらもセンサーユニットの取付方向性は天地自在に設けることができるため，センサーユニットを設置する際において，取付自由度を持たせて取付を行うことができる。
【０００８】
前記第一の電子基板には，前記第一の取付け状態と第二の取付け状態において，略同一の位置にて所定の取付方向性を有するセンサーを取付配置できるようセンサー取付部を二形態設けて基板のパターンが構成されたことを特徴とした請求項１記載のセンサーユニットであってもよい。このようにすれば，二つの状態配置を実現する場合において，ユニットの筐体内で前記状態毎に別々の部品配置スペースを必要とせず，コンパクトな筐体構造を取り得るセンサーユニットを提供することができる。
【０００９】
前記センサーユニットは，該センサーユニットの動作状態を表示する表示手段と，動作確認を行う動作確認手段と，リセット動作を行うリセット手段とを配置して前記第一の電子基板と電気的に接続される第二の電子基板を備え，該表示手段，動作確認手段，リセット手段は，筐体の外部から露望して視認操作可能なように設けられるとともに，筐体には前記第一の取付け状態及び第二の取付け状態において，外部から表示手段，動作状態検出手段，リセット手段を視認操作する際の配置が同一となるよう，筐体内において第二の電子基板をセンサーユニットの取付方向を軸として１８０度違えて装着保持できるように，予め表示手段，動作確認手段，リセット手段の露望する位置に対称に孔部を設けて構成されたことを特徴とした請求項２記載のセンサーユニットとしてもよい。このようにすれば，第一の取付状態および第二の取付状態の二つの状態において，視認性と操作性を変えることなく，センサーユニットを構成でき，使用者側において視認性および操作性を損ねることがないセンサーユニットを提供することができる。
【００１０】
前記筐体の外形は，主開閉器及び該主開閉器と母線を介して電気的に接続された分岐開閉器等を収容した分電盤に用いられる分岐開閉器と置き換えて利用できるよう，該分岐開閉器と略同一に形成されるとともに，母線から駆動電源を取得できるよう分岐開閉器と同様な電源端子部を設けたことを特徴として請求項２もしくは請求項３記載のセンサーユニットまたは請求項１記載のセンサーユニットの取付方法を提供してもよい。これにより，センサーユニットの電源を分電盤の母線から直接供給することができ，設置の際に電源線を配設する必要が不要とすることができ，施工性に優れたセンサーユニットの取付方法またはセンサーユニットを提供することができる。
【００１１】
また，分電盤内において上側下側二段に分岐開閉器が配設されてなる分電盤において，前記センサーユニットは，上側の分岐開閉器もしくは下側の分岐開閉器のどちらの分岐開閉器とも置き換えて使用が可能であることを特徴として請求項４記載のセンサーユニットを提供してもよい。これにより，分電盤内に配設する場合において，上側下側関係なく，分岐回路の空きがある場所に配置することができるため，施工性をさらに向上することが可能なセンサーユニットを提供できる。
【００１２】
また，センサーユニットに用いられるセンサーは，震度に応じて出力信号を発生する感震センサーであることを特徴として請求項１記載のセンサーユニットの取付方法または請求項２または請求項３または請求項４または請求項５記載のセンサーユニットを提供してもよい。これにより，感震センサーの取付方向性は適切に保ったまま，センサーユニットの取付方向性は天地自在に構成できるセンサーユニットの取付方法またはセンサーユニットを提供することができる。
【発明の効果】
【００１３】
所定の取付方向性を有するセンサーを含んで構成されたセンサーユニットを，該センサーの取付方向性に依存することなく，センサーユニット取付における天地方向を問わず，取付作業性よく取付けることを可能とし，また，天地方向を違えた取り付け状態においても，センサーの動作状態の表示や，動作確認の操作が違和感なく行うことが可能なセンサーユニットを提供でき，さらに，分電盤の内部に配設する場合においては上側下側どちらの分岐開閉器とも置き換えが可能であり，特に複数個のセンサーユニットの使用時において相間のバランスを崩すことがないセンサーユニットを提供することができる。
【発明を実施するための最良の形態】
【００１４】
以下に本件発明の最良の実施の形態に係るセンサーユニットの取付方法，及びセンサーユニットについて，図面を参照しつつ詳細に説明する。
【００１５】
図１は本発明のセンサーユニットの外観斜視図を示したもので，図２は該センサーユニットの内部構造図を示したものである。
【００１６】
これらの図に示されるように，筐体は，第一の外側筐体１１と，第二の外側筐体１３と，該第一の外側筐体１１と第二の外側筐体１３の間に挟みこまれる内側筐体１２とから構成されている。また，筐体の一方の端部には，分電盤の母線から電源を供給できるように，分岐開閉器と同様な構造の電源端子部Ａ１４及び電源端子部Ｂ１５が設けられ，他方の端部には，センサーユニットからの出力信号を出力するための出力信号発生部１６が設けられている。また，筐体の表面には，センサーユニットの動作情報表示部１７が設けられている。
【００１７】
図２に示したように，センサーユニットの内部構造は，取付面側から視認側の方向に，第一の電子基板２０，第二の電子基板２１の二つの基板が略平行に配設される構造となっている。各々の基板はリード線を用いて電気的に接続されている。センサー３０は第一の電子基板２０に配設される。また，動作情報表示部１７は，第二の電子基板２１に配設される。
【００１８】
センサー３０は所定の取付方向性を持っており，センサーユニットの取付時における天地方向に対して常に同一の方向を保って取付られる必要がある。図２においては，センサー３０のａ側が常に天地方向において上側に配置される。
【００１９】
図３には第一の電子基板２０へのセンサー取付図を示している。センサー３０は，電子基板への取付に際して，第一の取付脚部３１と，第二の取付脚部３３と，接点信号を出力するための第一の信号出力端子部３２と，第二の信号出力端子部３４とが設けられている。なお，センサー３０の動作機構については，特開平４−１１６４２６号，特開平６−１６０１６５号等を参照されたい。
【００２０】
さて，第一の電子基板２０には，図３（ｂ）に示したように，前記第一の取付脚部３１，第二の取付脚部３３，第一の信号出力端子部３２，第二の信号出力端子部３４を取付けるための取付部が設けられている。２０１１，２０１０，２０２１，２０２２は取付脚部を取付けるための取付部であり，２０１２，２０１３，２０２３，２０２４は信号出力端子部を取付けるための取付部である。また，センサー３０の信号出力端子部は，通常は接点が開放されたオープン状態となっており，地震を検出した場合，接点が短絡されたクローズ状態となり，ＯＮ／ＯＦＦ信号を発生するようになっている。信号出力端子部からの信号には極性がない。
【００２１】
センサー３０は第一の電子基板２０に対して二つの状態を取り得るよう構成されており，第一の取付け状態のおいては，センサー３０の取付脚部３１を電子基板２０の２０１１に，取付脚部３３を電子基板２０の２０１０に，信号出力端子部３２を電子基板２０の２０１３に，信号出力端子部３４を電子基板２０の２０１２に取付けて用いる。
【００２２】
また，第二の取付け状態のおいては，センサー３０の取付脚部３１を電子基板２０の２０２２に，取付脚部３３を電子基板２０の２０２１に，信号出力端子部３２を電子基板２０の２０２４に，信号出力端子部３４を電子基板２０の２０２３に取付けて用いる。
【００２３】
即ち，第一の取付け状態と第一の取付け状態においては，電子基板に対して略同一の位置で，センサー３０の方向が１８０度違えて配置されるように構成される。
【００２４】
第一の電子基板２０の外形は略長方形状をしており，筐体１の内部で方向性なく支持しやすい形状としている。
【００２５】
図３（ａ）は第一の取付け状態を示したものでセンサー３０のａ側が天地方向に対して上側に位置する。また，図３（ｂ）は第二の取付け状態を示したもので同じくセンサー３０のａ側が天地方向に対して上側に位置する。電子基板については方向性がないため，第一の取付け状態と第二の取付け状態においては上下違えた配置となっている。
【００２６】
次に，第二の電子基板２１について説明を行う。第二の電子基板２１には，センサーユニットの動作情報表示部１７と対応した位置関係にある，動作状態を表示する動作状態表示手段４０，動作確認（動作テスト）を行う動作確認手段４１，動作のリセットを行うリセット手段４２を備えている。
【００２７】
これら，動作状態を表示する動作状態表示手段４０，動作確認（動作テスト）を行う動作確認手段４１，動作のリセットを行うリセット手段４２は，筐体１の外側から視認及び操作可能であるよう，図５に示したように筐体１の前面には，動作状態表示手段４０，動作確認手段４１，リセット手段４２と対応する位置において孔部が設けられている。
【００２８】
また，第二の電子基板２１は，長方形状に設けられており，センサーユニットの第一の取付け状態及び第二の取付け状態において，筐体１の内部で方向性なく支持しやすい形状としている。
【００２９】
さて，動作状態表示手段４０，動作確認手段４１，リセット手段４２の第二の電子基板２１における配置は，動作確認手段４１とリセット手段４２とが天地方向に対して略一直線に配置され，また，動作状態表示手段４０とリセット手段４２とが前記天地方向に対して直交する方向に略一直線上に配置される。
【００３０】
また，基板の中心からの距離は略等しくなるように設けられている。
【００３１】
図５には筐体１の情報表示部１７を臨んだ図を示している。情報表示部１７には貫通孔１０１，１０２，１０３，１０４が設けられている。これらの貫通孔は，前記第二の電子基板２１に設けられた動作状態表示手段４０，動作確認手段４１，リセット手段４２と各々対応し，筐体の外側から視認もしくは操作が可能なように設けられている。
【００３２】
動作状態表示手段４０，動作確認手段４１，リセット手段４２と，貫通孔１０１，１０２，１０３，１０４の対応について説明すると，センサーユニットの第一の取付け状態においては，動作状態表示手段４０は貫通孔１０３と対応し，動作確認手段４１は貫通孔１０１と対応し，リセット手段４２は貫通孔１０２と対応して配置される。センサーユニットの第二の取付け状態においては，動作状態表示手段４０は貫通孔１０１と対応し，動作確認手段４１は貫通孔１０３と対応し，リセット手段４２は貫通孔１０４と対応して配置される。
【００３３】
このように，センサーユニットの第一の取付け状態，第二の取付け状態において，天地方向を違えて配置する場合においても，予め筐体１に第二の電子基板２１に配置される動作状態表示手段４０，動作確認手段４１，リセット手段４２の取り得る配置位置に対応した貫通孔を設けておくことにより，第二の電子基板２１を１８０度回転させて筐体１内に配設できる構造とし，筐体１の外側から情報表示部１７を臨んだ場合，視認性や操作性が第一の取付け状態，第二の取付け状態において違うことなく保持でき，使用者側にとって視認や操作をためらうことがない。
【００３４】
センサーユニットの第一の取付け状態，及び第二の取付け状態における，第一の電子基板２０へのセンサー３０の取付配置，及び情報表示部１７への第二の電子基板２１の取付配置をまとめると次のようになる。
【００３５】
第一の取付け状態においては，センサー３０の第一の取付脚部３１は，第一の電子基板２０の取付部２０１１と対応し，センサー３０の第二の取付脚部３３は，第一の電子基板２０の取付部２０１０と対応し，センサー３０の第一の信号出力端子部３２は，第一の電子基板２０の取付部２０１３と対応し，センサー３０の第二の信号出力端子部３４は，第一の電子基板２０の取付部２０１２と対応し，取付部２０２１，２０２２，２０２３，２０２４は不使用，筐体１の貫通孔１０３は，第二の電子基板２１の動作状態表示手段４０と対応し，筐体１の貫通孔１０２は，第二の電子基板２１のリセット手段４２と対応し，筐体１の貫通孔１０１は，第二の電子基板２１の動作確認手段４１と対応し，貫通孔１０４は不使用となるように設けられる。
【００３６】
また，第二の取付け状態においては，センサー３０の第一の取付脚部３１は，第一の電子基板２０の取付部２０２２と対応し，センサー３０の第二の取付脚部３３は，第一の電子基板２０の取付部２０２１と対応し，センサー３０の第一の信号出力端子部３２は，第一の電子基板２０の取付部２０２４と対応し，センサー３０の第二の信号出力端子部３４は，第一の電子基板２０の取付部２０２３と対応し，取付部２０１０，２０１１，２０１２，２０１３は不使用，筐体１の貫通孔１０１は，第二の電子基板２１の動作状態表示手段４０と対応し，筐体１の貫通孔１０４は，第二の電子基板２１のリセット手段４２と対応し，筐体１の貫通孔１０３は，第二の電子基板２１の動作確認手段４１と対応し，貫通孔１０２は不使用となるように設けられる。
【００３７】
第一の取付け状態と第二の取付け状態においては，センサーユニットの取り付け時の天地方向が各々逆になるよう設けられるが，感震センサーなど所定の取付方向性を持ったセンサーは常に所定の方向性を保ったまま取付けられることが可能となり，また，情報表示部１７における視認性，操作性においては，図６および図７に示したように，常に同様な視認性，操作性を保ってセンサーユニットを提供できる。
【００３８】
図８には，分電盤に本発明のセンサーユニットを組み込んだ図を示している。
８は分電盤，８１は主開閉器，８２は分岐開閉器で上側下側２段に複数設けられる。主開閉器８１と分岐開閉器８２との間は電気的に，接続バー８３と母線８４を介して分岐線にて接続されている。母線８４及び分岐線の充電部は，充電部カバーで被覆され，絶縁されている。
【００３９】
接続バー８３は主開閉器８１と母線８４を中継するためのものである。母線８４は分岐線を介して各々の分岐開閉器８２に電力を供給する。接続バー８３は，バーの他，被覆された電線を用いたり，予め形付けられた銅バーを樹脂製のケースで絶縁したユニットを用いて構成してもよい。
【００４０】
図８（ａ）においては，センサーユニットにおける第一の取付け状態を示したものであり，下側の分岐開閉器８２の一部と本発明のセンサーユニットを置き換えて配置した図を示している。センサーユニットは分岐開閉器２個分の幅で構成されており，２個の分岐開閉器と置き換えて使用する。
【００４１】
図８（ｂ）においては，センサーユニットにおける第二の取付け状態を示したものであり，上側の分岐開閉器８２の一部と本発明のセンサーユニットを置き換えて配置した図を示している。（ａ）の場合と同じく，２個の分岐開閉器と置き換えて使用する。
【００４２】
施工に際しては，個々の分電盤の配電事情に応じて，接続された負荷機器のバランスを取りながら相バランスがより崩れにくい側への施工を行い，電力の供給が安定して行うことができるように施工する。
【００４３】
図８（ｃ）においては，センサーユニットを２個取付けた図を示している。この場合は，上側及び下側の分岐開閉器と置き換えた配置を行い，相バランスを保つことができるように配置することが可能である。
【００４４】
分電盤には，将来の回路増設に備えて予備回路スペースが設けられていることが多い。該予備回路スペースが上側もしくは下側の分岐開閉器のどちら側の位置に設けられている場合においても，本発明のセンサーユニットを取付が可能であるため，取付現場における施工性，作業性を向上させることができる。
【００４５】
センサーユニットの動作について説明を行う。本発明のセンサーユニットにおいては，感震センサーからの出力信号があった場合，第二の電子基板に設けられたＩＣにより内部処理を行い，センサーユニットに設けられた出力信号発生部１６から外部に出力信号を発生させる。
【００４６】
出力信号発生部１６においては，回路遮断器に接続される第一の出力系統と，外部警報装置に接続される第二の出力系統が備えられている。
【００４７】
第一の出力系統は回路遮断器を引外し動作させるトリップコイルと電気的に接続されており，センサーユニットからの出力信号を受けた回路遮断器は，該トリップコイルを駆動させることにより，引外し動作を行い，接点を開極するよう動作する。即ちセンサー，特に感震センサーが動作した場合には，所定の内部処理を行った後に，回路遮断器を動作させ，電力の供給を停止させることで電気火災を未然に防止することが可能である。
【００４８】
第二の出力系統は外部警報装置に接続されており，センサーユニットからの出力信号を受けた外部警報装置は例えば，音発生手段や音声発生手段を用いて音や音声により警報を発生させたり，もしくは発光手段や振動発生手段を用いて発光や振動で周囲に警報を発したり，また，公衆回線やインターネット等の電気通信回線との接続手段を用いて電気通信回線と接続させておくことにより，所定の電話番号に電話発信を行ったり，所定の宛先にメールを配信させることで，遠隔地への警報発信を行うよう構成することができる。
【００４９】
本発明で用いた感震センサーは，所定の大きさの加速度を検出した場合，センサー内部の接点が短絡されて通常状態のオープン状態からクローズ状態となるタイプのセンサーを用いている。従って地震発生により受けた加速度が所定の大きさに達したか／達しないかという２つの状態を検知できるものである。
【００５０】
即ちＯＮ／ＯＦＦの出力信号を発生するものであるが，加速度の大きさに応じて多段階もしくは無段階に出力信号を発生するタイプの感震センサーを使用して構成してもよい。この場合，所定の加速度の大きさに応じて，ＩＣの内部処理により出力信号の送出先を分けた構成を行うことができる。
【００５１】
例えば，回路遮断器に接続される第一の出力系統を複数個設けることにより，受信した加速度の大きさに応じて，複数の回路遮断器を選択的に駆動させることができる。
【００５２】
また，外部警報装置に接続される第二の出力系統においては，該第二の出力系統を複数個設け，受信した加速度に応じて選択的に複数の外部警報装置への出力を行うことが可能である。
【００５３】
また，第二の出力系統は一つのままで，該第二の出力系統から送出する信号を加速度の大きさに応じた信号，例えば，パルス信号におけるＨｉ−ＬｏのＨｉ信号の時間幅を加速度の大きさに応じて可変長に設定しておき，外部警報装置の側において，Ｈｉ信号の時間幅を受信処理することにより，発生した地震の大きさを把握させるよう構成してもよい。
【００５４】
もしくは，前記Ｈｉ−Ｌｏ信号におけるＨｉ信号の単位時間当たりにおける個数を加速度の大きさに応じて増減させるよう予め定めておくことにより加速度の大きさを外部警報装置側で演算処理により求めるよう構成してもよい。
【００５５】
なお，センサーユニットにおけるＩＣの内部処理において感震センサーから加速度に応じて出力される信号を演算処理し加速度を求めたり，該加速度から震度の大きさへの変換処理を行うように演算処理を行うよう構成してもよい。
【００５６】
また，感震センサーを小型のものを使用することにより，センサーユニットの幅方向の大きさを分岐開閉器１個分の幅に合わせた構成とすることにより，分電盤への取付において，置き換える分岐開閉器の個数を減らせることができ，より相バランスよく取付が行えるとともに，最大限の分岐回路数を保持できるセンサーユニットを提供することができる。
【産業上の利用可能性】
【００５７】
本発明におけるセンサーユニットの取付方法及びセンサーユニットは，所定の方向性を有するセンサーの所定の方向性を保持したまま適切にセンサーの使用が行えるため，筐体内部におけるセンサーの支持の自由度を増やすことで，天地方向のみならず，例えば標準分電盤に見られるように，分岐開閉器の並設方向が天地方向になされているような分電盤においてもセンサーユニットの適用が可能となる可能性がある。
【図面の簡単な説明】
【００５８】
【図１】本発明の実施の形態に係るセンサーユニットの外観構造図である。
【図２】同センサーユニットの内部構造図である。
【図３】基板とセンサーの取付構造図である。
【図４】基板と表示部の取付構成図である。
【図５】表示部の説明図である。
【図６】第一の取付け状態にある表示部の説明図である。
【図７】第二の取付け状態にある表示部の説明図である。
【図８】センサーユニットを分電盤に取付けた説明図である。
【図９】従来例を示した図である。
【符号の説明】
【００５９】
１  センサーユニット
１１  第一の外側筐体
１２  内部筐体
１３  第二の外側筐体
１４  電源端子部Ａ
１５  電源端子部Ｂ
１６  出力信号発生部
１７  動作情報表示部
２０  第一の電子基板
２１  第二の電子基板
３０  センサー
３１  第一の取付脚部
３２  信号出力端子部
３３  第二の取付脚部
３４  第二の信号出力端子部
２０１１，２０１０，２０２１，２０２２  取付脚部を取付けるための取付部
２０１２，２０１３，２０２３，２０２４  信号出力端子部を取付けるための取付部
４０  動作状態表示手段
４１  動作確認手段
４２  リセット手段
１０１，１０２，１０３，１０４  貫通穴
８  分電盤
８１  主開閉器
８２  分岐開閉器
【図１】
2006179418.tif 000003
【図２】
2006179418.tif 000004
【図３】
2006179418.tif 000005
【図４】
2006179418.tif 000006
【図５】
2006179418.tif 000007
【図６】
2006179418.tif 000008
【図７】
2006179418.tif 000009
【図８】
2006179418.tif 000010
【図９】
2006179418.tif 000011